(57)【要約】      （修正有）【課題】スタイレットを針から抜いたときに、立てて置かれることがないようにして、スタイレットが手などに刺さる事故を未然に防ぐことができるスタイレットを提供する。【解決手段】針本体の基端側から本体内に挿入して針本体先端の開口を塞ぐスタイレットにおいて、基端側に針本体の基端ブロック２２と係合して位置決めするための基端ブロックの背面３３に背面突部３５を設ける等により非平面とする。これにより、スタイレットを基端ブロック背面を下にして水平面上に置いたときに自立不能となり、施術中の医師がスタイレットを針から抜いたときに、立てて置こうとしても自然に倒れるので、スタイレットが手などに刺さる事故を防ぐことができる。【選択図】図２
0003152220.tif 000002
【実用新案登録請求の範囲】
【請求項１】
針本体の基端側から本体内に挿入して針本体先端の開口を塞ぐスタイレットにおいて、基端側に針本体の基端ブロックと係合して位置決めするための基端ブロックを有し、該基端ブロックの背面が非平面となっており、スタイレットを該基端ブロック背面を下にして水平面上に置いたときに自立不能であることを特徴とする医療用針のスタイレット。
【請求項２】
請求項１のスタイレットにおいて、前記基端ブロック背面の１カ所又は複数カ所に、後方に向かって突出する背面突部が形成されていることで、前記基端ブロック背面が非平面となっている医療用針のスタイレット。
【請求項３】
請求項１のスタイレットにおいて、前記針本体基端ブロックに係合するため前記スタイレット基端ブロックの外周部から前方に突出形成されている係合突部が、後方に延長して形成されて背面の他の部分より後方に突出する背面突部となっていることで、前記基端ブロック背面が非平面となっている医療用針のスタイレット。
【請求項４】
請求項１のスタイレットにおいて、前記基端ブロック背面の全部又は一部が外側に凸の曲面で形成されていることによって非平面となっている医療用針のスタイレット。
【請求項５】
基端側にスタイレットの基端ブロックと係合する基端ブロックを有する針本体と、請求項１〜４のいずれかのスタイレットを有することを特徴とする医療用針。
【考案の詳細な説明】
【技術分野】
【０００１】
本考案は、例えば硬膜外麻酔や脊髄麻酔を行う麻酔針のような医療用針の針内部に挿入して針先端の開口を塞ぐスタイレット、及びこのスタイレットを有する医療用針に関する。
【背景技術】
【０００２】
医療用針は、先端開口が大きく形成されていると、人体に穿刺するときに皮膚その他の人体組織を損傷するおそれがある。そこで、先端開口が比較的大きい針は、針内部に細い棒状のスタイレットを挿入して先端開口を塞いだ状態で穿刺が行われる。
穿刺を行うのに際して針本体とスタイレットを係合、位置決めするため、針本体及びスタイレットの基端部にプラスチックなどでほぼ筒状に形成された基端ブロックが設けられる。
従来、スタイレットの基端ブロックの背面は平らな平面で構成されていた。
このような医療用針は、例えば下記特許文献などに開示されている。
【先行技術文献】
【特許文献】
【０００３】
【特許文献１】実開平６−４４５４９号公報
【特許文献２】特開２００２−３０６５９６号公報
【考案の概要】
【考案が解決しようとする課題】
【０００４】
針本体にスタイレットを挿入した状態で人体に穿刺した後、スタイレットを針から抜き、針本体の基端ブロックに注射器などを接続し、人体内に薬液を注入する。
この際、施術中の医師は針本体から抜き取ったスタイレットを近くの机や台の上に置くが、スタイレットが横向きに置かれる場合は問題ないけれども、施術に気を取られるあまり、図１０に示すように、立てて置かれてしまう可能性がある。そうすると、何かの拍子にスタイレットの上に手をついて手のひらにスタイレットが刺さってしまうような事故が考えられ、危険である。
なお、図１０において、符号８はスタイレット、８１は針本体に挿入する棒状部、８２は基端ブロック、８３は基端ブロックの背面、８４は針本体の基端ブロックに係合するための係合溝である。
【０００５】
本考案は、スタイレットを針から抜いたときに、立てて置かれることがないようにして、スタイレットが手などに刺さる事故を未然に防ぐことを課題とするものである。
【課題を解決するための手段】
【０００６】
本考案は、針本体の基端側から本体内に挿入して針本体先端の開口を塞ぐスタイレットにおいて、基端側に針本体の基端ブロックと係合して位置決めするための基端ブロックを有し、該基端ブロックの背面が非平面となっており、スタイレットを該基端ブロック背面を下にして水平面上に置いたときに自立不能であることを特徴とする医療用針のスタイレットである。（請求項１）
【０００７】
このスタイレットは、基端ブロックの背面が非平面となっており、自立不能であるので、施術中の医師がスタイレットを針から抜いたときに、立てて置こうとしても自然に倒れてしまい、必ず横向きになるので、スタイレットが手などに刺さる事故を防ぐことができる。
【０００８】
基端ブロックの背面が非平面である具体的態様として、前記基端ブロック背面の１カ所又は複数カ所に、後方に向かって突出する背面突部を形成することができる。（請求項２）
【０００９】
さらに具体的には、前記針本体基端ブロックに係合するため前記スタイレット基端ブロックの外周部から前方に突出形成されている係合突部が、後方に延長して形成されて背面の他の部分より後方に突出する背面突部となっていることで、前記基端ブロック背面が非平面となるように構成することができる。（請求項３）
【００１０】
このようにすることで、背面突部が目印となって係合突部の位置が明確に確認でき、針本体とスタイレットの回転方向の位置合わせが容易となる。
【００１１】
基端ブロックの背面が非平面である他の具体的態様として、前記基端ブロック背面の全部又は一部を外側に凸の曲面で形成することができる。（請求項４）
【００１２】
また本考案は、基端側にスタイレットの基端ブロックと係合する基端ブロックを有する針本体と、請求項１〜４のいずれかのスタイレットを有することを特徴とする医療用針である。（請求項５）
【考案の効果】
【００１３】
本考案は、スタイレット基端ブロックの背面が非平面となっており、スタイレットが自立不能であるので、施術中の医師がスタイレットを針から抜いたときに、立てて置こうとしても自然に倒れてしまい、必ず横向きになるので、スタイレットが手などに刺さる事故を防ぐことができる。
【図面の簡単な説明】
【００１４】
【図１】実施例の医療用針１の分解側面図である。
【図２】図１の外針本体１と外針スタイレット３を組み合わせた状態の平面図である。
【図３】図２の状態の針先断面図である。
【図４】図１の内針本体４と内針スタイレット５を組み合わせた状態の要部平面図である。
【図５】図４の状態の針先断面説明図である。
【図６】図１の外針スタイレット３，内針スタイレット５の背面図である。
【図７】実施例のスタイレット６の説明図である。
【図８】実施例のスタイレット７の説明図である。
【図９】スタイレット７を水平面上に置いたときの説明図である。
【図１０】従来のスタイレット８を水平面上に置いたときの説明図である。
【考案を実施するための形態】
【実施例】
【００１５】
図１〜６に示す医療用針１は、外針と内針からなる複合針で、外針は外針本体２と外針スタイレット３で、内針は内針本体４と内針スタイレット５で構成される。
この複合針は、硬膜外麻酔と脊髄麻酔を兼用できる麻酔針で、図２，３に示すように、外針本体２に外針スタイレット３を挿入した状態で針先が硬膜外腔に達するまで穿刺し、その後外針スタイレット３を抜き取り、図４，５に示すように、内針本体４に内針スタイレット５を挿入した状態で外針本体２に挿入し、内針針先を外針本体の正面開口２６から突出させ、さらにくも膜を穿刺してくも膜下腔に至らしめ、次に内針スタイレット５を内針本体４から抜き取り、内針から麻酔剤をくも膜下腔に注入して脊髄麻酔を行う。
その後、内針本体を外針本体から抜き取り、外針本体の先端開口２５からカテーテルを硬膜外腔に挿入し、外針本体を体外へ抜き取り、留置したカテーテルから適宜麻酔剤を注入して硬膜外麻酔を行うことができる。
【００１６】
外針本体２は、針部２１の基端側にプラスチック製で概略筒状をなす基端ブロック２２が固定さている。
針部２１の先端は上側に屈曲しており、その先端にカテーテルを送り出すための先端開口２５が、正面に内針を突き出すための正面開口２６が設けられている。
基端ブロック２２の基端寄りの上面には、外針スタイレットの係合突部３４と係合する係合溝２３が設けられ、さらにその後方は、外針スタイレットの基端ブロック３２の中に挿入されるため径が細くなっている挿入部２４となっている。
【００１７】
外針スタイレット３は、外針の針部２１内に挿入する棒状部３１の基端側に、プラスチック製で概略筒状（背面は閉塞されている）に成形された基端ブロック３２が固定されている。
棒状部３１の先端は、図３に示すように、外針本体の針部２１の先端内部形状に適合した形状となっている。
基端ブロック３２は、上部前端から前方に突出するように係合突部３４が形成されている。係合突部３４の上面は基端ブロック３２の上面からやや突出していて、後方に延長して形成されて背面の他の部分より後方に突出する背面突部３５となっている。この背面突部３５により、基端ブロック３２の背面３３が非平面となっている。
【００１８】
外針本体２に外針スタイレット３を挿入すると、外針本体の基端ブロック２２の挿入部２４が内針スタイレットの基端ブロック３２の中に挿入され、係合突部３４が係合溝２３に係合して基端ブロック２２，３２が係合し、位置決めされる。（図２）そのとき、外針本体の針部２１の先端開口２５及び正面開口２６は外針スタイレットの棒状部３１の先端部分で実質的に塞がれる。（図３）
【００１９】
内針本体４は、針部４１の基端側にプラスチック製で概略筒状をなす基端ブロック４２が固定さている。
針部４１の先端は、斜めに傾斜した刃面となっており、麻酔剤を吐出するための開口が設けられている。（図５）
基端ブロック４２は、外針本体の基端ブロック２２と同様に、係合溝４３、挿入部４４を有する。麻酔剤を注入する場合は、挿入部４４に注射器を接続して行う。
【００２０】
内針スタイレット５は、内針の針部４１内に挿入する棒状部５１の基端側にプラスチック製で概略筒状（背面は閉塞されている）の基端ブロック５２が固定されている。
棒状部５１の先端は、図５に示すように、内針本体の針部４１の先端開口に適合した斜面となっている。
基端ブロック５２は、外針スタイレットの基端ブロック３２と同様に背面５３、係合突部５４、背面突部５５が形成されている。
【００２１】
内針本体４に内針スタイレット５を挿入すると、外針の場合と同様に、内針本体の基端ブロック４２と内針スタイレットの基端ブロック５２が係合し、位置決めされる。（図４）そのとき、内針本体の針部４１の先端開口は内針スタイレットの棒状部５１の先端部分で実質的に塞がれる。（図５）
【００２２】
図７に示すスタイレット６は、基端ブロックの背面が他の態様で非平面となっている例である。図７は左側が背面図、右側が要部側面図となっている。
スタイレット６は、針本体（図示せず）の針部内に挿入する棒状部６１の基端側にプラスチック製で概略筒状（背面は閉塞されている）の基端ブロック６２が固定されている。基端ブロック６２には上部前端から前方に突出するように係合突部６４が形成されている。背面６３は、全体が外側に凸の曲面となっており、中心部が最も盛り上がった形状となっている。
【００２３】
図８に示すスタイレット７は、基端ブロックの背面が他の態様で非平面となっている例である。図８は左側が背面図、右側が要部側面図となっている。
スタイレット７は、針本体（図示せず）の針部内に挿入する棒状部７１の基端側にプラスチック製で概略筒状（背面は閉塞されている）の基端ブロック７２が固定されている。基端ブロック７２には上部前端から前方に突出するように係合突部７４が形成されている。背面７３は、中央部が外側に凸の曲面７３ａ（球面の一部）となっており、中心部が最も盛り上がった形状となっている。
【００２４】
図９は、スタイレット７を水平面上に立てて置いた場合の説明図である。スタイレット７を垂直に立てても、背面７３の中央部が外側に凸の曲面となっているためにバランスを崩して傾き（図９）、ついには矢印で示すように倒れてしまう。したがって、スタイレット７は自立することができない。
前記の外針スタイレット３、内針スタイレット５、及びスタイレット６の場合も、背面が非平面となっているために、同様にして自立することができない。
【符号の説明】
【００２５】
１  医療用針
２  外針本体
２１  針部
２２  基端ブロック
２３  係合溝
２４  挿入部
２５  先端開口
２６  正面開口
３  外針スタイレット
３１  棒状部
３２  基端ブロック
３３  背面
３４  係合突部
３５  背面突部
４  内針本体
４１  針部
４２  基端ブロック
４３  係合溝
４４  挿入部
５  内針スタイレット
５１  棒状部
５２  基端ブロック
５３  背面
５４  係合突部
５５  背面突部
６  スタイレット
６１  棒状部
６２  基端ブロック
６３  背面
６４  係合突部
７  スタイレット
７１  棒状部
７２  基端ブロック
７３  背面
７４  係合突部
８  スタイレット
８１  棒状部
８２  基端ブロック
８３  背面
８４  係合突部
【図１】
0003152220.tif 000003
【図２】
0003152220.tif 000004
【図３】
0003152220.tif 000005
【図４】
0003152220.tif 000006
【図５】
0003152220.tif 000007
【図６】
0003152220.tif 000008
【図７】
0003152220.tif 000009
【図８】
0003152220.tif 000010
【図９】
0003152220.tif 000011
【図１０】
0003152220.tif 000012